(57)【要約】【課題】  本発明は、ダイナミックダンパーの重錘の固有振動数を調整するために該ダイナミックダンパーに対して予め余分な調整機構を取り付けておくことなく、調整が必要なときに振動数調整部材を適宜着脱可能なダイナミックダンパー及びその調整方法を提供することを目的としている。【解決手段】  重錘５の重量を補足し該重錘５の固有振動数を調整するために該重錘５の中央下部に着脱可能な付加重錘20と、重錘５の振動方向の固有振動数を調整するためのコイルバネ８と、を共通の取付空間24を介して付加重錘20、バネユニット７の何れか一方、若しくは両方を重錘５の中央下部に選択的に着脱可能に構成したことを特徴とする。【選択図】      図１
2008156838.tif 000002
【特許請求の範囲】
【請求項１】
建物構造体に固定されるフレームと、該フレームに対して振動可能に支持された重錘と、を有するダイナミックダンパーの該重錘の固有振動数を調整するための振動数調整部材を該重錘の中央下部または中央上部の何れか１箇所の取付空間に着脱可能に装着し得る着脱部を設けたダイナミックダンパーであって、
前記振動数調整部材は、
前記重錘の重量を補足し該重錘の固有振動数を下げるための付加重錘と、
前記重錘の振動方向の固有振動数を上げるためのコイルバネであって、該コイルバネの一端を前記重錘に着脱可能で、且つ該コイルバネの他端を前記フレームに着脱可能なコイルバネと、
からなり、
前記取付空間は、前記重錘に設けられた前記付加重錘と前記コイルバネとに共通の取付空間であって、該取付空間に設けた着脱部に前記付加重錘、前記コイルバネの何れか一方、若しくは両方を着脱可能に装着し得ることを特徴とするダイナミックダンパー。
【請求項２】
建物構造体に固定されるフレームと、該フレームに対して振動可能に支持された重錘と、を有するダイナミックダンパーの該重錘の固有振動数を調整するための振動数調整部材を着脱可能に装着し得る着脱部を設けたダイナミックダンパーの調整方法であって、
請求項１に記載のダイナミックダンパーに着脱する前記付加重錘と前記コイルバネとに共通の取付空間に設けた着脱部に対して、前記付加重錘、前記コイルバネの何れか一方、若しくは両方を選択的に着脱することにより前記重錘の固有振動数を調整することを特徴とするダイナミックダンパーの調整方法。
【発明の詳細な説明】
【技術分野】
【０００１】
本発明は、建物構造体に固定されるフレームと、該フレームに対して振動可能に支持された重錘と、を有するダイナミックダンパーの該重錘の固有振動数を調整することができるダイナミックダンパー及びその調整方法に関するものである。
【背景技術】
【０００２】
近年では中低層の住宅に対して、強風による風振動や道路を走行する自動車等による交通振動等の環境振動が問題視されている。日常的に発生する環境振動については、非常に微少な振幅の振動ではあるが、居住者に対しては日常生活において大きな影響を与えることがある。特に鉄骨３階建て住宅は、高い耐震性とプラン自由度がある反面、交通振動により発生する振動や、内部の人の動きにより発生する振動と建物の固有振動数が比較的近いために、これらの振動の影響を受け易い。これらの振動を効果的に低減させるために近年では建物にダイナミックダンパー（ＴＭＤ；Tuened Mass Damper；同調振動系型ダンパー）を設置するケースが増えている。
【０００３】
ダイナミックダンパーを用いて建物の振動を低減させるためには、建物の固有振動数とダイナミックダンパーの重錘の固有振動数を正確に一致させる必要があり、そのため、建物が完成した後にダイナミックダンパーの調整がほとんどの場合必要となる。このため、通常は後調整の有無に拘わらずダイナミックダンパーに対して予め調整機構をもたせておく。
【０００４】
従来、上記環境振動に対応した制振装置の重錘の固有振動数を微調整する方法としてバネを剛性の異なるものに取り替えたり、バネの本数を調整したり、或いは、特開２００１−２５４７７５号公報（特許文献１）に記載されたように、フレームと重錘間に、該重錘の振動方向と同一方向にバネをとりつけ、そのバネ全体のバネ定数を変化させることにより、重錘の固有振動数を変化させて微調整する方法がある。
【０００５】
また一方で、ダイナミックダンパーは建物の上部に設置されるため、天井裏内に設置されることが多く、重錘の固有振動数の調整作業は脚立に立って不安定な姿勢で、天井に設けられた点検口をのぞき込みながら作業される。
【０００６】
例えば、特開２００３−１６６３６５号公報（特許文献２）及び特開２００５−５４３６０号公報（特許文献３）には、１つの重錘に対して複数個のダンパー調整用ユニットを設けたことが記載されている。
【０００７】
また、特開２００１−１２４１３６号公報（特許文献４）には制振装置に振動系の固有振動数を調節する振動数調節機構が設けられ、ウエイト部材（重錘）は複数のプレートを積層して４隅を上下に貫通するボルトによりメインフレーム上に一体的に固定してあり、プレートの枚数を変えることにより重量を変更して振動系の固有振動数を調節出来ることが記載されている。
【０００８】
また、特開２００１−１９３３１２号公報（特許文献５）にはマス部材（重錘）に調節用空所を形成し、該調節用空所に付加マス部材を収容可能としたことで制振装置におけるマス部材の質量を調節してチューニング周波数の設定を行うことが記載されている。
【０００９】
【特許文献１】特開２００１−２５４７７５号公報
【特許文献２】特開２００３−１６６３６５号公報
【特許文献３】特開２００５−０５４３６０号公報
【特許文献４】特開２００１−１２４１３６号公報
【特許文献５】特開２００１−１９３３１２号公報
【発明の開示】
【発明が解決しようとする課題】
【００１０】
しかしながら、前述の特許文献１の技術では、制振用のバネを直接調整するため重錘の固有振動数を微調整する構造が複雑になるという問題が有り、特許文献２、３の技術では、１つの重錘に対して複数個のダンパー調整用ユニットを用意しなければならず、調整時にも複数個のダンパー調整用ユニットを個別に調整しなければならず、天井の開口部も広い面積で必要となってしまうという問題がある。
【００１１】
また、特許文献４の技術では、１つの重錘に対して１つの振動数調節機構を用意したものであるものの、構造が複雑であるため一旦設置した後で再調節する場合には天井等の点検口から振動数調節機構のみを容易に取り外して調整することが出来ないという問題があった。
【００１２】
また、特許文献５の技術では、マス部材（重錘）に予め調節用空所を形成し別の調整用マスを予め取り付けた構成であるためダイナミックダンパー自体が大型化し、コストアップの要因となるという問題がある。
【００１３】
本発明は前記課題を解決するものであり、その目的とするところは、ダイナミックダンパーの重錘の固有振動数を調整するために該ダイナミックダンパーに対して予め余分な調整機構を取り付けておくことなく、調整が必要なときに狭い空間であっても容易に振動数調整部材を適宜着脱可能なダイナミックダンパー及びその調整方法を提供せんとするものである。
【課題を解決するための手段】
【００１４】
前記目的を達成するための本発明に係るダイナミックダンパーは、建物構造体に固定されるフレームと、該フレームに対して振動可能に支持された重錘と、を有するダイナミックダンパーの該重錘の固有振動数を調整するための振動数調整部材を該重錘の中央下部または中央上部の何れか１箇所の取付空間に着脱可能に装着し得る着脱部を設けたダイナミックダンパーであって、前記振動数調整部材は、前記重錘の重量を補足し該重錘の固有振動数を下げるための付加重錘と、前記重錘の振動方向の固有振動数を上げるためのコイルバネであって、該コイルバネの一端を前記重錘に着脱可能で、且つ該コイルバネの他端を前記フレームに着脱可能なコイルバネとからなり、前記取付空間は、前記重錘に設けられた前記付加重錘と前記コイルバネとに共通の取付空間であって、該取付空間に設けた着脱部に前記付加重錘、前記コイルバネの何れか一方、若しくは両方を着脱可能に装着し得ることを特徴とする。
【００１５】
また、本発明に係るダイナミックダンパーの調整方法は、建物構造体に固定されるフレームと、該フレームに対して振動可能に支持された重錘と、を有するダイナミックダンパーの該重錘の固有振動数を調整するための振動数調整部材を着脱可能に装着し得る着脱部を設けたダイナミックダンパーの調整方法であって、前述のダイナミックダンパーに着脱する前記付加重錘と前記コイルバネとに共通の取付空間に設けた着脱部に対して、前記付加重錘、前記コイルバネの何れか一方、若しくは両方を選択的に着脱することにより前記重錘の固有振動数を調整することを特徴とする。
【発明の効果】
【００１６】
本発明に係るダイナミックダンパーによれば、重錘の固有振動数を調整する必要が生じたときに、ダイナミックダンパーに設けられた共通の取付空間（取付開口部）に設けられた着脱部に付加重錘、コイルバネの何れか一方、若しくは両方を重錘の中央下部または中央上部に選択的に装着することが出来る。
【００１７】
即ち、建物設計時に、建物の構造要素と、帳壁等の非構造部材の水平剛性と建物重量から建物の固有振動数を推定すると共に、建物建設時にその固有振動数に対応するダイナミックダンパーを設置しておく。そして、建物の固有振動数が設計時の予測からズレが生じた場合のみに、ダイナミックダンパーに設けられた共通の取付空間（取付開口部）に設けられた着脱部に付加重錘、コイルバネの何れか一方、若しくは両方からなる振動数調整部材を取り付ける。
【００１８】
ダイナミックダンパーの重錘の固有振動数を上げたい場合は、ダイナミックダンパーに設けられた取付空間に振動数調整部材としてコイルバネを装着する。
【００１９】
ダイナミックダンパーの重錘の固有振動数を下げたい場合は、ダイナミックダンパーに設けられた取付空間に振動数調整部材として付加重錘を装着する。
【００２０】
ダイナミックダンパーが互いに直交する２方向制御で構成され、一方向の固有振動数を下げ、他方向の固有振動数をそのままにするか、或いは固有振動数を上げたい場合には、ダイナミックダンパーに設けられた取付空間に振動数調整部材としてコイルバネと付加重錘とを組み合わせて装着する。
【００２１】
コイルバネと付加重錘とを組み合わせて装着する場合、該複数のコイルバネをユニット化したバネユニットを断面ハット型で構成しておき、該バネユニットを天地逆転させて装着することで、該コイルバネと付加重錘とを組み合わせた振動数調整部材全体の嵩を小さくすることが出来る。
【００２２】
通常は建物の固有振動数に適応するダイナミックダンパーを取り付けるのみであり、該ダイナミックダンパーに対して予め余分な調整機構を設けない。そのため、装置の製作コストを抑えることが出来る。そして、調整が必要なときにのみ共通の取付空間（取付開口部）となるフレームに設けられた開口部から、必要な振動数調整部材を適宜装着することが出来る。
【００２３】
また、本発明に係るダイナミックダンパーの調整方法によれば、ダイナミックダンパーの共通の取付空間（取付開口部）に設けられた着脱部に付加重錘、コイルバネの何れか一方、若しくは両方を重錘の中央下部または中央上部に選択的に着脱することにより重錘の固有振動数を容易に調整することが出来る。
【発明を実施するための最良の形態】
【００２４】
図により本発明に係るダイナミックダンパー及びその調整方法の一実施形態を具体的に説明する。図１は本発明に係るダイナミックダンパーの構成を示す部分平面図及び分解断面図、図２は各種のコイルバネユニットのみを装着したダイナミックダンパーの構成を示す断面説明図、図３（ａ），（ｂ）は図２（ａ），（ｂ）の各コイルバネユニットの構成を示す平面説明図、図４は図２（ｂ）のコイルバネユニットの構成を示す分解斜視図、図５（ａ）は付加重錘を装着したダイナミックダンパーの構成を示す断面説明図、図５（ｂ）は付加重錘とコイルバネユニットの両方を装着したダイナミックダンパーの構成を示す断面説明図、図６（ａ）はコイルバネを装着したダイナミックダンパーの他の構成を示す断面説明図、図６（ｂ）は付加重錘とコイルバネの両方を装着したダイナミックダンパーの他の構成を示す断面説明図である。
【００２５】
図１〜図５において、建物構造体となる梁材１の下フランジ１ａ上に例えばＬ型鋼やＨ型鋼などで構成する支持部材２が載置して固定され、該支持部材２にダイナミックダンパー６のフレーム３が固定されている。フレーム３の底面部３ｂ上には重錘支持体となる積層ゴム17とバネ４により方形状で構成された重錘５が振動可能に支持されている。フレーム３の起立した側辺部３ａと重錘５との間にはバネ４が取り付けられている。尚、フレーム３の底面部３ｂには付加重錘20やコイルバネ８を着脱するための開口部3b1がある。
【００２６】
尚、重錘支持体としては積層ゴム17の代わりに球体を介して振動可能に支持する構成でも良いし、バネ４の代わりにゴム等の弾性部材によって重錘５を振動可能に支持することでも良い。
【００２７】
20は重錘５の重量を補足し該重錘５の固有振動数を下げるために該重錘５の中央下部の底面部５ａに着脱可能な付加重錘であり、重錘５の固有振動数を下げるための振動数調整部材として構成される。本実施形態の付加重錘20は複数枚の方形板状の付加重錘が積層されて必要数を調整して使用される。付加重錘20の中央部及び４隅の計５箇所には貫通孔20ａが形成されている。
【００２８】
一方、重錘５の中央下部の底面部５ａには、取付空間24にある着脱部となる複数のネジ孔５ｂが設けられている。本実施形態のネジ孔５ｂは重錘５の底面部５ａに、付加重錘20に形成された貫通孔20ａに対応して中央部に１箇所、その周囲に４箇所の計５箇所のネジ孔５ｂが設けられている。
【００２９】
７は重錘５の振動方向の固有振動数を上げるための複数のコイルバネ８をユニット化したバネユニットであり、重錘５の振動方向の固有振動数を調整するためのコイルバネ８と、該コイルバネ８の一端を重錘５の中央下部に接続するための方形状の連結板９と、コイルバネ８の他端をフレーム３に接続するための方形状の枠体10とを有して構成されている。本実施形態の枠体10は断面Ｌ字形状で構成され、起立片からなる側辺部10ａと水平片からなるフランジ部10ｂとを有して中央部が貫通した方形状の枠体形状で構成され、バネユニット７全体が断面ハット型で構成される。
【００３０】
コイルバネ８の両端部は連結板９及び枠体10に設けられた孔、爪、アーム等の種々の係止手段により着脱可能に係止されている。コイルバネ８は該コイルバネ８の一端を重錘５の中央下部に着脱可能で且つ該コイルバネ８の他端をフレーム３に着脱可能なコイルバネ８であり、重錘５の固有振動数を調整するための振動数調整部材として構成される。
【００３１】
図１〜図５に示すように、ダイナミックダンパー６は、必要に応じて付加重錘20と、複数のコイルバネ８をユニット化したバネユニット７との何れか一方、若しくは両方を重錘５の中央下部の底面部５ａに形成された着脱部となるネジ孔５ｂ、或いはフレーム３の底面部３ｂに形成された着脱部となる貫通孔3b2に選択的に着脱可能に装着し得るように構成されている。
【００３２】
即ち、上記取付空間24にある着脱部は、重錘５の中央下部に設けられた付加重錘20とコイルバネ８との共通の取付空間（取付開口部）24を介して付加重錘20、コイルバネ８の何れか一方、若しくは両方を着脱可能に装着し得る構成とされる。ここで、共通の取付空間（取付開口部）24とは、天井板12に設けられた点検口13、フレーム３の底面部３ｂの開口部3b1、及び重錘５の底面部５ａの中央下部により形成された取付空間（取付開口部）24をいう。
【００３３】
支持部材２の下方に配置された天井板12にはバネユニット７の真下に対応する位置で枠体10の外形に対応する大きさを有する点検口13が設けられており、扉12ａを開放して点検口13から付加重錘20或いはバネユニット７を取り付け、或いは取り外し作業が出来るように構成されている。
【００３４】
フレーム３の底面部３ｂには付加重錘20及び枠体10の側辺部10ａが挿通し得る方形状の開口部3b1が形成されており、図２に示すように、重錘５の着脱部となるネジ孔５ｂにバネユニット７のみを取り付ける場合には、先ず、点検口13側から該開口部3b1を介してボルト部材11を挿入して重錘５の底面部５ａの中央部に形成された着脱部となるネジ孔５ｂに該ボルト部材11を螺合締結する。
【００３５】
全長に亘ってネジ山が形成されたボルト部材11を重錘５の底面部５ａの中央部に形成されたネジ孔５ｂに螺合締結する場合には、例えば該ボルト部材11に図示しない固定ナットを螺合して互いにテンションがかかるように締結し、該固定ナットを利用して重錘５の底面部５ａの中央部に形成されたネジ孔５ｂに該ボルト部材11を螺合締結することが出来る。
【００３６】
次にボルト部材11にロックナット19を螺合して所定位置に設定し、図１に示す点検口13側から図２に示すように、断面ハット型のバネユニット７を上に凸になるようにしてフレーム３の底面部３ｂに形成した開口部3b1に枠体10の側辺部10ａを挿入すると共に、連結板９の中央部に形成された貫通孔９ａにボルト部材11を挿通して該枠体10のフランジ部10ｂをフレーム３の底面部３ｂの下面側に当接し、該フランジ部10ｂに形成された貫通孔10b1及びフレーム３の底面部３ｂに形成された取付空間となる貫通孔3b2に点検口13側からボルト14を挿通し、該フレーム３の底面部３ｂに形成された貫通孔3b2に対応して該底面部３ｂの上面に溶接されたナット部15に該ボルト14を螺合して締結する。また、連結板９の下側からボルト部材11にナット18を螺合締結して該連結板９をロックナット19とにより挟持固定する。これによりコイルバネ８の一端が連結板９、ボルト部材11を介して重錘５の中央下部に装着され、該コイルバネ８の他端が枠体10を介してフレーム３に装着される。
【００３７】
本実施形態のバネユニット７の一例としては、図２（ａ）及び図３（ａ）に示すように、重錘５の固有振動数の調整方向が同一水平面上で且つ互いに直交する２方向（Ｘ方向、Ｙ方向）に設定され、連結板９を中心にして、それぞれ一対以上のコイルバネ８を有する構成とすることが出来る。
【００３８】
上記構成のダイナミックダンパー６の調整方法としては、バネユニット７の連結板９をフレーム３の底面側から重錘５の中央下部に設けられたボルト部材（平行雄ネジ）11に対して着脱可能に取り付けると共に、枠体10をフレーム３の底面部３ｂに着脱可能に取り付けておき、ダイナミックダンパー６の調整時にナット18を取り外して連結板９をボルト部材11から取り外すと共に、ボルト14を取り外して枠体10をフレーム３から取り外すことでバネユニット７をフレーム３及び重錘５から取り外した状態で、バネユニット７に取り付けられたコイルバネ８のバネ定数を調整することにより、重錘５の固有振動数を調整することが出来る。
【００３９】
ここで、コイルバネ８のバネ定数を調整する方法としては、コイルバネ８の本数を変更するか、コイルバネ８の太さを変更してバネ定数を変更するか、コイルバネ８の可変位長を変更する等によりコイルバネ８のバネ定数を調整することが出来る。
【００４０】
図２（ｂ）、図３（ｂ）及び図４はバネユニット７の他の構成を示し、重錘５の固有振動数の調整方向が高さ方向に異なる水平面上で且つ互いに直交する２方向（Ｘ方向、Ｙ方向）に連結板21，22を中心にして、それぞれ一対以上のコイルバネ８を設置して構成されている。
【００４１】
本実施形態の連結板21は、図４に示すように、断面ハット型で構成されており、連結板22は断面Ｔ字形状で構成されている。尚、連結板21，22は両方とも断面ハット型で構成することも出来る。また、連結板21，22を平板状とし該連結板21，22間にボルト部材11に挿通される筒状のスペーサを別途介在させて構成しても良い。
【００４２】
低い位置に配置される連結板21の突出部21ａは上に凸となるように配置され、高い位置に配置される連結板22の突出部22ａは下に凸となるように配置される。そして、該突出部21ａ，22ａに形成された貫通孔21a1，22a1を図２（ａ）に示して前述したと同様に重錘５の中央下部に垂下して突出されたボルト部材11に挿通して該ボルト部材11にナット18を螺合締結することによりコイルバネ８の一端が着脱可能に係止された連結板21，22を介して該コイルバネ８の一端が重錘５の中央下部に接続される。
【００４３】
コイルバネ８の他端は枠体10の側辺部10ａに設けられた図示しない係止手段により高さ方向に異なる水平面上で且つ互いに直交する２方向（Ｘ方向、Ｙ方向）に着脱可能に係止されており、互いに直交する２方向（Ｘ方向、Ｙ方向）に段違いに配置されるコイルバネ８はそれぞれ干渉しない位置でそれぞれの方向に振動可能に支持される。
【００４４】
図３（ａ），（ｂ）に示して比較するように、コイルバネ８を同一水平面上で互いに直交する２方向（Ｘ方向、Ｙ方向）に配置した場合、枠体10内の４隅にデッドスペース16が生じるが、コイルバネ８を高さ方向に異なる水平面上で互いに直交する２方向（Ｘ方向、Ｙ方向）に段違いで配置することで、デッドスペース16が生じることがなく、スペースの有効利用が出来る。
【００４５】
また、重錘５の着脱部となるネジ孔５ｂに付加重錘20を取り付ける場合には、図１及び図５（ａ）に示すように、点検口13側からフレーム３の底面部３ｂに設けられた開口部3b1を介して付加重錘20を挿入し、該点検口13側からボルト23を付加重錘20の４隅に形成した貫通孔20ａに挿通すると共に重錘５の底面部５ａのボルト部材11の周囲の４箇所に形成されたネジ孔５ｂに該ボルト23を螺合締結する。
【００４６】
尚、重錘５の底面部５ａの中央部に形成されたネジ孔５ｂにボルト部材11が螺合締結された状態で付加重錘20を取り付ける場合には、該付加重錘20の中央部に形成した貫通孔20ａにボルト部材11を挿通した状態で該点検口13側からボルト23を付加重錘20の４隅に形成した貫通孔20ａに挿通すると共に重錘５の底面部５ａのボルト部材11の周囲の４箇所に形成されたネジ孔５ｂに該ボルト23を螺合締結する。
【００４７】
また、重錘５の着脱部となるネジ孔５ｂに付加重錘20を取り付けると共に、該ネジ孔５ｂと、フレーム３の底面部３ｂに形成された着脱部となる貫通孔3b2とにバネユニット７を取り付ける場合には、図１及び図５（ｂ）に示すように、重錘５の底面部５ａの中央部に形成された着脱部となるネジ孔５ｂにボルト部材11を螺合締結した後、該付加重錘20の中央部に形成した貫通孔20ａにボルト部材11を挿通した状態で該点検口13側からボルト23を付加重錘20の４隅に形成した貫通孔20ａに挿通すると共に重錘５の底面部５ａのボルト部材11の周囲の４箇所に形成されたネジ孔５ｂに該ボルト23を螺合締結する。
【００４８】
次にボルト部材11にロックナット19を螺合して付加重錘20よりも下方の所定位置に設定し、図１に示す点検口13側から図１及び図５（ｂ）に示すように、断面ハット型のバネユニット７を下に凸になるように該バネユニット７の天地を逆転させて連結板９の中央部に形成された貫通孔９ａにボルト部材11を挿通すると共に、枠体10のフランジ部10ｂをフレーム３の底面部３ｂの下面側に当接し、該フランジ部10ｂに形成された貫通孔10b1及びフレーム３の底面部３ｂに形成された着脱部となる貫通孔3b2に点検口13側からボルト14を挿通し、該フレーム３の底面部３ｂに形成された貫通孔3b2に対応して該底面部３ｂの上面に溶接されたナット部15に該ボルト14を螺合して締結する。また、連結板９の下側からボルト部材11にナット18を螺合締結して該連結板９をロックナット19とにより挟持固定する。これによりコイルバネ８の一端が連結板９、ボルト部材11を介して重錘５の中央下部に装着され、該コイルバネ８の他端が枠体10を介してフレーム３に装着される。
【００４９】
図６はユニット化されていない個々のコイルバネ８を使用した場合の一例を示す。尚、前記実施形態と同様に構成したものは同一の符号を付して説明を省略する。図６（ａ）に示すように、重錘５の中央下部にコイルバネ８のみを装着する場合には、先ず、断面コ字形状で枡型の連結部材25の天部に設けられた貫通孔に点検口13側からボルト26を挿通し、重錘５の底面部５ａに設けられた着脱部となるネジ孔５ｂに螺合締結する。
【００５０】
次に、断面Ｌ字形状で構成され、起立片からなる側辺部10ａと水平片からなるフランジ部10ｂとを有して中央部が貫通した方形状の枠体形状で構成される枠体10の側辺部10ａを点検口13側からフレーム３の底面部３ｂに形成した開口部3b1に挿入して該枠体10のフランジ部10ｂをフレーム３の底面部３ｂの下面側に当接し、該フランジ部10ｂに形成された貫通孔10b1及びフレーム３の底面部３ｂに形成された着脱部となる貫通孔3b2に点検口13側からボルト14を挿通し、該フレーム３の底面部３ｂに形成された貫通孔3b2に対応して該底面部３ｂの上面に溶接されたナット部15に該ボルト14を螺合して締結する。
【００５１】
そして、コイルバネ８の一端を連結部材25の側辺部に係止し、該コイルバネ８の他端を枠体10の側辺部10ａに係止する。
【００５２】
図６（ｂ）に示すように、重錘５の中央下部に付加重錘20とユニット化されていない個々のコイルバネ８の両方を装着する場合には、先ず、点検口13側からボルト23を付加重錘20に形成した４隅の貫通孔20ａに挿通すると共に重錘５の底面部５ａに形成されたネジ孔５ｂに該ボルト23を螺合締結する。
【００５３】
次に、図６（ａ）よりは長尺状の枡型の連結部材25の天部に設けられた貫通孔に点検口13側から長尺状のボルト26を挿通すると共に、付加重錘20の中央部に形成した貫通孔20ａに該ボルト26を挿通して重錘５の底面部５ａに設けられた着脱部となるネジ孔５ｂに螺合締結する。
【００５４】
その後、枠体10の天地を逆転させて該枠体10のフランジ部10ｂをフレーム３の底面部３ｂの下面側に当接し、該フランジ部10ｂに形成された貫通孔10b1及びフレーム３の底面部３ｂに形成された着脱部となる貫通孔3b2に点検口13側からボルト14を挿通し、該フレーム３の底面部３ｂに形成された貫通孔3b2に対応して該底面部３ｂの上面に溶接されたナット部15に該ボルト14を螺合して締結する。
【００５５】
そして、コイルバネ８の一端を連結部材25の側辺部に係止し、該コイルバネ８の他端を枠体10の側辺部10ａに係止する。
【００５６】
尚、前記各実施形態では、付加重錘20、連結板９、連結板21，22、或いは連結部材25を重錘５の中央下部に設けた着脱部となるネジ孔５ｂに選択的に着脱可能に取り付け、枠体10をフレーム３の底面部３ｂに着脱可能に取り付けて天井板12に設けられた点検口13から操作する場合の一例について説明したが、天地を逆転した他の構成として、付加重錘20、連結板９、連結板21，22、或いは連結部材25を重錘５の中央上部に設けた着脱部となるネジ孔に選択的に着脱可能に取り付け、枠体10をフレーム３の上面に着脱可能に取り付けてダイナミックダンパー６の上方から操作する構成でも良い。
【００５７】
上記構成によれば、重錘５の固有振動数を調整する必要が生じたときにのみ、ダイナミックダンパー６に設けられた重錘５の底面部５ａに形成された着脱部となるネジ孔５ｂ及びフレーム３の底面部３ｂに形成された着脱部となる貫通孔3b2にそれぞれ付加重錘５、コイルバネ８の何れか一方、若しくは両方を重錘５の中央下部または中央上部に選択的に装着することが出来る。
【００５８】
即ち、建物設計時に、建物の構造要素と、帳壁等の非構造部材の水平剛性と建物重量から建物の固有振動数を推定すると共に、建物建設時にその固有振動数に対応するダイナミックダンパー６を設置しておく。このとき、建物の固有振動数が推定値に等しいときは調整の必要がない。そして、建物の固有振動数が設計時の予測からズレが生じた場合のみに、ダイナミックダンパー６に設けられた着脱部となる重錘５の底面部５ａに形成されたネジ孔５ｂ及びフレーム３の底面部３ｂに形成された貫通孔3b2に振動数調整部材となる付加重錘５、コイルバネ８を適宜選択的に取り付ける。
【００５９】
ダイナミックダンパー６の重錘５の固有振動数を上げたい場合は、ダイナミックダンパー６に設けられた重錘５の底面部５ａに形成された着脱部となるネジ孔５ｂに装着された連結板９、連結板21，22或いは連結部材25と、フレーム３の底面部３ｂに形成された着脱部となる貫通孔3b2に装着された枠体10とを介して振動数調整部材としてコイルバネ８を装着する。
【００６０】
逆にダイナミックダンパー６の重錘５の固有振動数を下げたい場合は、ダイナミックダンパー６に設けられた重錘５の底面部５ａに形成された着脱部となるネジ孔５ｂに振動数調整部材として付加重錘20を装着する。
【００６１】
ダイナミックダンパー６が互いに直交する２方向制御で構成され、一方向の固有振動数を下げ、他方向の固有振動数をそのままにするか、或いは固有振動数を上げたい場合には、ダイナミックダンパー６に設けられた重錘５の底面部５ａに形成された着脱部となるネジ孔５ｂ及びフレーム３の底面部３ｂに形成された取付空間24から貫通孔3b2に振動数調整部材としてコイルバネ８と付加重錘20とを組み合わせて装着する。
【００６２】
コイルバネ８と付加重錘20とを組み合わせて装着する場合、該コイルバネ８の一端を係止する枠体10を断面ハット型で構成しておき、図１、図５（ｂ）、図６（ｂ）に示すように、該枠体10を天地逆転させて下に凸となるように装着することで、該コイルバネ８と付加重錘20とを組み合わせた振動数調整部材全体の嵩を小さくすることが出来る。
【００６３】
通常は建物の設計時に推定した該建物の固有振動数に適応するダイナミックダンパー６を取り付けるのみであり、該ダイナミックダンパー６に対して予め余分な調整機構を設けない。そのため、装置全体の製作コストを抑えることが出来る。そして、固有振動数の調整が必要なときにのみフレーム３の底面部３ｂに設けられた開口部3b1から、必要な振動数調整部材として、付加重錘20、コイルバネ８の一方、或いは両方を適宜装着することが出来る。
【００６４】
また、ダイナミックダンパー６の調整時に一箇所の小さな点検口13からコイルバネ８をフレーム３及び重錘５から容易に取り外すことが出来、取り外した状態で、コイルバネ８のバネ定数を調整した後、再度、一箇所の小さな点検口13からコイルバネ８をフレーム３及び重錘５に容易に取り付けることが出来、簡単な操作で重錘５の固有振動数を容易に調整することが出来る。
【００６５】
また、複数のコイルバネ８の一端を重錘５の中央下部または中央上部に設けられる連結板９，21，22、或いは連結部材25に集中して接続することによりダイナミックダンパー６の重錘５の固有振動数を調整するためのコイルバネ８を重錘５の中央下部または中央上部にコンパクトに１つにまとめることが出来、ダイナミックダンパー６の調整時に開口する点検口13を一箇所で且つ小さくすることが出来、調整作業も行い易く、重錘５の振動にねじれを発生させず、重錘５の動きもスムーズに出来る。
【００６６】
また、図３（ｂ）及び図４に示すように、重錘５の固有振動数の調整方向が高さ方向に異なる水平面上で且つ互いに直交する２方向に連結板21，22を中心にして、それぞれ一対以上のコイルバネ８を設置した構成とすることで、直交する２方向に配置されるコイルバネ８をそれぞれ高さ方向に異なる水平面上に段違いに配置することで連結板９を平面方形状とした場合のデッドスペース16をなくすことが出来、ダイナミックダンパー６の調整時に開口する点検口13をより小さくするか若しくはそのスペースにより多くのコイルバネ８を設置することが出来る。
【産業上の利用可能性】
【００６７】
本発明の活用例として、建物構造体に固定されるフレームと、該フレームに対して振動可能に支持された重錘と、を有するダイナミックダンパーの該重錘の固有振動数を調整するためのダイナミックダンパー及びその調整方法に適用することが出来る。
【図面の簡単な説明】
【００６８】
【図１】本発明に係るダイナミックダンパーの構成を示す部分平面図及び分解断面図である。
【図２】各種のコイルバネユニットを装着したダイナミックダンパーの構成を示す断面説明図である。
【図３】（ａ），（ｂ）は図２（ａ），（ｂ）の各コイルバネユニットの構成を示す平面説明図である。
【図４】図２（ｂ）のコイルバネユニットの構成を示す分解斜視図である。
【図５】（ａ）は付加重錘を装着したダイナミックダンパーの構成を示す断面説明図、（ｂ）は付加重錘とコイルバネユニットの両方を装着したダイナミックダンパーの構成を示す断面説明図である。
【図６】（ａ）はコイルバネを装着したダイナミックダンパーの他の構成を示す断面説明図、（ｂ）は付加重錘とコイルバネの両方を装着したダイナミックダンパーの他の構成を示す断面説明図である。
【符号の説明】
【００６９】
１…梁材
１ａ…下フランジ
２…支持部材
３…フレーム
３ａ…側辺部
３ｂ…底面部
3b1…開口部
3b2…貫通孔
４…バネ
５…重錘
５ａ…底面部
５ｂ…ネジ孔
６…ダイナミックダンパー
７…バネユニット
８…コイルバネ
９…連結板
９ａ…貫通孔
10…枠体
10ａ…側辺部
10ｂ…フランジ部
10b1…貫通孔
11…ボルト部材
12…天井板
12ａ…扉
13…点検口
14…ボルト
15…ナット部
16…デッドスペース
17…積層ゴム
18…ナット
19…ロックナット
20…付加重錘
20ａ…貫通孔
21，22…連結板
21ａ，22ａ…突出部
21a1，22a1…貫通孔
23…ボルト
24…取付空間（取付開口部）
25…連結部材
26…ボルト
【図１】
2008156838.tif 000003
【図２】
2008156838.tif 000004
【図３】
2008156838.tif 000005
【図４】
2008156838.tif 000006
【図５】
2008156838.tif 000007
【図６】
2008156838.tif 000008